(57)【要約】【課題】心線余長部を必要とせず、さらに光ケーブルと光ケーブルコネクタを確実に固定可能な光ケーブル固定具及び光ケーブル固定方法を提供する。【解決手段】光ケーブルコネクタ１６の少なくとも一部分を収容する光ケーブルコネクタ収容部５と、心線１４を収容する心線収容部４と、被覆部材１５の少なくとも一部分を収容する被覆部材収容部３を備え、心線１４、光ケーブルコネクタ１６及び被覆部材１５を挟持可能に構成された固定具本体を設ける。【選択図】  図１
2004239957.tif 000002
【特許請求の範囲】
【請求項１】
心線を被覆部材で被覆した光ケーブルを、光ケーブルコネクタに前記心線の先端部分を露出させて接続した際に、前記光ケーブルと前記光ケーブルコネクタとを固定するための光ケーブル固定具であって、
前記光ケーブルコネクタの少なくとも一部分を収容する光ケーブルコネクタ収容部と、
前記心線を収容する心線収容部と、
前記被覆部材の少なくとも一部分を収容する被覆部材収容部と
を備え、
前記心線、前記光ケーブルコネクタ及び前記被覆部材を挟持可能に構成された固定具本体を有する
ことを特徴とする光ケーブル固定具。
【請求項２】
前記光ケーブルコネクタ収容部は、前記光ケーブルコネクタの少なくとも一部分と係合可能な凹凸部を有することを特徴とする請求項１に記載の光ケーブル固定具。
【請求項３】
前記被覆部材収容部は、前記被覆部材の少なくとも一部分と係合可能な凹凸部を有することを特徴とする請求項１又は２に記載の光ケーブル固定具。
【請求項４】
心線を被覆部材で被覆した光ケーブルを、光ケーブルコネクタに前記心線の先端部分を露出させて接続した際に、前記光ケーブルと前記光ケーブルコネクタとを固定するための光ケーブル固定方法であって、
前記光ケーブルコネクタの少なくとも一部分を収容する光ケーブルコネクタ収容部と、
前記心線を収容する心線収容部と、
前記被覆部材の少なくとも一部分を収容する被覆部材収容部と
を備え、
前記心線、前記光ケーブルコネクタ及び前記被覆部材を挟持可能に構成された固定具本体を用意し、
前記固定具本体により前記光ケーブルコネクタの少なくとも一部分と、前記心線と、前記被覆部材の少なくとも一部分を挟持させる
ことを特徴とする光ケーブル固定方法。
【請求項５】
前記光ケーブルコネクタ収容部に前記光ケーブルコネクタの少なくとも一部分と係合可能な凹凸部を設け、
前記固定具本体により前記光ケーブルコネクタの少なくとも一部分と、前記心線と、前記被覆部材の少なくとも一部分を挟持させる際に、前記凹凸部と前記光ケーブルコネクタの少なくとも一部分とを係合させる
ことを特徴とする請求項４に記載の光ケーブル固定方法。
【請求項６】
前記被覆部材収容部に前記被覆部材の少なくとも一部分と係合可能な凹凸部を設け、
前記固定具本体により前記光ケーブルコネクタの少なくとも一部分と、前記心線と、前記被覆部材の少なくとも一部分を挟持させる際に、前記凹凸部と前記被覆部材の少なくとも一部分とを係合させる
ことを特徴とする請求項４又は５に記載の光ケーブル固定方法。
【発明の詳細な説明】
【０００１】
【発明の属する技術分野】
本発明は、心線と、前記の心線をその先端部が露出された状態で被覆する被覆部材とを有する光ケーブルを光ケーブルコネクタに接続した際に、光ケーブルと光ケーブルコネクタとを固定するための光ケーブル固定具及び光ケーブル固定方法に関する。
【０００２】
【従来の技術】
従来の光ケーブルコネクタとしては、簡易組立型ＳＣコネクタやＭＴ−ＲＪコネクタの内部にメカニカルスプライス機構を設けた物などが挙げられる（例えば、特許文献１参照）。
【０００３】
図５は、上記のような光ケーブルコネクタの一例を示す図であり、本図においては、光ケーブル１０１の心線１０３ａを保護するための被覆部材１０２を除去することにより心線１０３ａを露出させ、この心線１０３ａを光ケーブルコネクタ１００に接続した場合を示している。
【０００４】
このように心線１０３ａを光ケーブルコネクタ１００に接続するにあたっては、光ケーブルコネクタ１００と心線１０３ａとの接続作業のやり直し、光ケーブルコネクタ１００や他の光部品のレイアウト変更の可能性等から心線１０３ａの余長部である心線余長部１０３ｂが設けられる。
【０００５】
【特許文献１】
特開２００２−１４１９５３号公報（第３頁−第６頁、第１図）
【０００６】
【発明が解決しようとする課題】
しかしながら、上記の心線１０３ａ、特に露出された心線余長部１０３ｂは曲げ荷重等に弱く、損傷しやすいため、その取り扱いには細心の注意と高度な技術が要求され、この心線余長部１０３ｂをするための空間も確保しなければならない。
【０００７】
さらに、前記の損傷を防止するには、心線余長部を保護するための保護部材を別に用意する必要がある。
【０００８】
また、上記の保護部材としては、心線余長部を再度被覆するためのチューブ、心線収納トレイ、ローゼット等が挙げられるが、これらも心線余長部と同様に空間を占有してしまい、通信装置若しくは施設全体の大型化の原因となる。
【０００９】
以上の点から、当業者は、コスト、作業時間（工数）等の面で多大な負担を強いられており、光ケーブル通信網の普及の妨げとなっている。
【００１０】
したがって、本発明は、心線余長部を必要とせず、さらに光ケーブルと光ケーブルコネクタを確実に固定可能な光ケーブル固定具及び光ケーブル固定方法を提供することを目的とする。
【００１１】
【課題を解決するための手段】
請求項１に記載の本発明は、心線を被覆部材で被覆した光ケーブルを、光ケーブルコネクタに心線の先端部分を露出させて接続した際に、光ケーブルと光ケーブルコネクタとを固定するための光ケーブル固定具であって、光ケーブルコネクタの少なくとも一部分を収容する光ケーブルコネクタ収容部と、心線を収容する心線収容部と、被覆部材の少なくとも一部分を収容する被覆部材収容部を備え、心線、光ケーブルコネクタ及び被覆部材を挟持可能に構成された固定具本体を有することを要旨とする。
【００１２】
請求項１に記載の本発明にあっては、光ケーブルコネクタの少なくとも一部分を収容する光ケーブルコネクタ収容部と、露出された心線の全ての部分を収容する心線収容部と、被覆部材の少なくとも一部分を収容する被覆部材収容部と、心線を収容する心線収容部とを備えた固定具本体により心線、光ケーブルコネクタ及び被覆部材を挟持するため、心線余長部を必要とせず、心線を保護するための部材を別に設ける必要がない。
【００１３】
請求項２に記載の本発明は、請求項１に記載の発明において、光ケーブルコネクタ収容部は、光ケーブルコネクタの少なくとも一部分と係合可能な凹凸部を有することを要旨とする。
【００１４】
請求項２に記載の本発明にあっては、光ケーブルコネクタ収容部の凹凸部が光ケーブルコネクタの少なくとも一部分と係合することにより、光ケーブルコネクタを固定具本体に確実に固定することができ、光ケーブルコネクタが固定具本体から外れることを防止できる。
【００１５】
請求項３に記載の本発明は、請求項１又は２に記載の発明において、被覆部材収容部は、被覆部材の少なくとも一部分と係合可能な凹凸部を有することを要旨とする。
【００１６】
請求項３に記載の本発明にあっては、被覆部材収容部の凹凸部が被覆部材の少なくとも一部分と係合することにより、被覆部材を固定具本体に確実に固定することができ、被覆部材が固定具本体から外れることを防止できる。
【００１７】
請求項４に記載の本発明は、心線を被覆部材で被覆した光ケーブルを、光ケーブルコネクタに心線の先端部分を露出させて接続した際に、光ケーブルと光ケーブルコネクタとを固定するための光ケーブル固定方法であって、光ケーブルコネクタの少なくとも一部分を収容する光ケーブルコネクタ収容部と、心線を収容する心線収容部と、被覆部材の少なくとも一部分を収容する被覆部材収容部を備え、心線、光ケーブルコネクタ及び被覆部材を挟持可能に構成された固定具本体を用意し、固定具本体により光ケーブルコネクタの少なくとも一部分と、心線と、被覆部材の少なくとも一部分を挟持させることを要旨とする。
【００１８】
請求項４に記載の本発明にあっては、光ケーブルコネクタの少なくとも一部分を収容する光ケーブルコネクタ収容部と、露出された心線の全ての部分を収容する心線収容部と、被覆部材の少なくとも一部分を収容する被覆部材収容部と、心線を収容する心線収容部とを備えた固定具本体により心線、光ケーブルコネクタ及び被覆部材を挟持するため、心線余長部を必要とせず、心線を保護するための部材を別に設ける必要がない。
【００１９】
請求項５に記載の記載の本発明は、請求項４に記載の発明において、光ケーブルコネクタ収容部に光ケーブルコネクタの少なくとも一部分と係合可能な凹凸部を設け、固定具本体により光ケーブルコネクタの少なくとも一部分と、心線と、被覆部材の少なくとも一部分を挟持させる際に、凹凸部と光ケーブルコネクタの少なくとも一部分とを係合させることを要旨とする。
【００２０】
請求項５に記載の本発明にあっては、光ケーブルコネクタ収容部の凹凸部が光ケーブルコネクタの少なくとも一部分と係合することにより、光ケーブルコネクタを固定具本体に確実に固定することができ、光ケーブルコネクタが固定具本体から外れることを防止できる。
【００２１】
請求項６に記載の本発明は、請求項４又は５に記載の発明において、被覆部材収容部に被覆部材の少なくとも一部分と係合可能な凹凸部を設け、固定具本体により光ケーブルコネクタの少なくとも一部分と、心線と、被覆部材の少なくとも一部分を挟持させる際に、凹凸部と被覆部材の少なくとも一部分とを係合させることを要旨とする。
【００２２】
請求項６に記載の本発明にあっては、被覆部材収容部の凹凸部が被覆部材の少なくとも一部分と係合することにより、被覆部材を固定具本体に確実に固定することができ、被覆部材が固定具本体から外れることを防止できる。
【００２３】
【発明の実施の形態】
以下、図面を参照しつつ本発明の光ケーブル固定具及び光ケーブル固定方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
【００２４】
図１は、本発明の一実施の形態に係る光ケーブル固定具１を示す分解斜視図である。
光ケーブル固定具１は、心線１４と、心線１４の先端部が露出された状態でこれを被覆する被覆部材１５とを有する光ケーブル１３を、コネクタ本体１７と、フード部材１８とを有する光ケーブルコネクタ１６に接続した際に、光ケーブル１３と光ケーブルコネクタ１６とを固定するためのものであり、固定具本体２ａ及び２ｂを有する。
【００２５】
固定具本体２ｂは、光ケーブルコネクタ１６の少なくとも一部分（本実施の形態においてはフード部材１８）を収容する光ケーブルコネクタ収容部５と、心線１４を収容する心線収容部４と、被覆部材１５の少なくとも一部分を収容する被覆部材収容部３と、４個のアタッチメント溝部９を備える。
【００２６】
また、固定具本体２ａは、前記の光ケーブルコネクタ収容部５と同様の収容部（図示せず）と、心線収容部４と同様の収容部（図示せず）と、被覆部材収容部３と同様の収容部（図示せず）と、アタッチメント溝部９と係合する４個のアタッチメント部８を有する。
【００２７】
以上のように、固定具本体２ａ及び２ｂは、心線１４の露出部分の全て、光ケーブルコネクタ１６及び被覆部材１５を挟持可能に構成されている。このため、心線余長部を必要とせず、この心線を保護するための部材を別に設ける必要がなく、通信装置若しくは施設全体の大型化を防止でき、コスト、作業時間（工数）等の削減も可能となる。
【００２８】
また、図２に示すように、光ケーブルコネクタ収容部５は、図１のフード部材１８に設けられた凹凸部と係合可能な凹凸部７を有し、固定具本体２ａは、凹凸部７と同様の部材を有する。このため、光ケーブルコネクタ１６を固定具本体２ａ及び２ｂに確実に固定することができ、光ケーブルコネクタ１６が固定具本体２ａ及び２ｂから外れることを防止できる。なお、上記の収容部は、その形状及び寸法がフード部材１８の寸法及び形状に合わせて調整されている。
【００２９】
また、被覆部材収容部３は、図１の被覆部材１５の少なくとも一部分と係合可能な凹凸部６を有し、固定具本体２ａは、凹凸部６と同様の部材を有する。このため、被覆部材１５を固定具本体２ａ及び２ｂに確実に固定することができ、被覆部材１５が固定具本体２ａ及び２ｂから外れることを防止できる。なお、上記の収容部は、その形状及び寸法が被覆部材１５の寸法及び形状に合わせて調整されている。
【００３０】
また、上記の心線収容部４と、これと同様の収容部は、心線１４の直径と、露出された部分の長さに応じて、その寸法及び形状が調整されている。
【００３１】
次に本発明の一実施の形態に係る光ケーブル固定方法についての説明を行う。なお、意向の説明においては、心線１４と光ケーブルコネクタ１６とが予め接続されていることを前提とする。
【００３２】
まず、図１及び図２に示した固定具本体２ａ及び２ｂを用意し、図３に示すように、光ケーブルコネクタ１６の少なくとも一部分（本実施の形態においてはフード部材１８）を光ケーブルコネクタ収容部５に収容し、心線１４を心線収容部４に収容し、被覆部材１５の少なくとも一部分を被覆部材収容部３に収容する。
【００３３】
次に、図４に示すように、固定具本体２ｂを固定具本体２ａとを接近させ、この固定具本体２ａの所定の収容部に心線１４の露出部分全て、被覆部材１５及びフード部材を収容し、アタッチメント部８と、アタッチメント溝部９とを接合させる。これにより、光ケーブル１３と光ケーブルコネクタ１６とが固定される。
【００３４】
また、この際に、図３の凹凸部６と、これと同様の凹凸部とが被覆部材１５と係合され、凹凸部７と、これと同様の凹凸部とがフード部材１８と係合される。これにより、光ケーブル１３と光ケーブルコネクタ１６とがより確実に固定される。
【００３５】
以上のように、本発明の光ケーブル固定方法によれば、心線余長部を必要とせず、この心線を保護するための部材を別に設ける必要がなく、通信装置若しくは施設全体の大型化を防止でき、コスト、作業時間（工数）等の削減も可能となる。
【００３６】
また、凹凸部７等の作用により、光ケーブルコネクタ１６を固定具本体２ａ及び２ｂに確実に固定することができ、光ケーブルコネクタ１６が固定具本体２ａ及び２ｂから外れることを防止できる。
【００３７】
また、凹凸部６等の作用により、被覆部材１５を固定具本体２ａ及び２ｂに確実に固定することができ、被覆部材１５が固定具本体２ａ及び２ｂから外れることを防止できる。
【００３８】
なお、上記の実施の形態においては、光ケーブルコネクタ収容部５がフード部材１８を収容し、その断面形状がフード部材１８の断面形状と同じ円形である場合を示したが、これに限定されず、フード部材１８だけでなく、コネクタ本体１７も収容する構成とすることも可能であり、また、ＳＣやＭＴ−ＲＪ等の光ケーブルコネクタの種類にも限定されず、寸法及び形状を調整することにより、あらゆる種類の光ケーブルコネクタを収容することができる。
【００３９】
また、上記の実施の形態においては、フード部材１８に凹凸が設けられ、これと凹凸部７とが係合する場合を示したが、これに限定されず、凹凸部７は、凹凸部を有しないフード部材、例えば、弾力性に富んだ材料が用いられたフード部材とも係合可能である。
【００４０】
また、上記の実施の形態においては、被覆部材１５の断面形状が方形であり、これに合わせて、被覆部材収容部３の断面形状も方形である場合を示したが、これに限定されず、寸法及び形状を調整することにより、あらゆる種類の光ケーブル（被覆部材）を収容することができる。
【００４１】
また、上記の実施の形態においては、心線収容部４の断面形状が方形である場合を示したが、これに限定されず、例えば、Ｖ字型であっても良い。
【００４２】
また、上記の実施の形態においては、光ケーブル固定具１が２個の独立した固定具本体２ａ及び２ｂからなる構成を示したが、これに限定されず、例えば、３個以上の固定具から成る構成としても良いし、また、固定具本体２ａ及び２ｂをヒンジ等で接続し、これらを開閉可能にし、これらを閉じることにより光ケーブルコネクタ１６、心線１４及び被覆部材１５を挟持する構成とすることもできる。
【００４３】
【発明の効果】
以上のとおり、本発明によれば、心線余長部を必要とせず、さらに光ケーブルと光ケーブルコネクタを確実に固定可能な光ケーブル固定具及び光ケーブル固定方法を提供することが可能となる。
【図面の簡単な説明】
【図１】本発明の一実施の形態に係る光ケーブル固定具の構成を示す斜視図である。
【図２】図１の固定具本体の詳細を示す斜視図である。
【図３】図１の光ケーブル固定具の組み立て途中の状態を示す斜視図である。
【図４】図１の光ケーブル固定具が組み立てられた状態を示す斜視図である。
【図５】従来の光ケーブルコネクタを示す斜視図である。
【符号の説明】
１  光ケーブル固定具
２ａ、２ｂ  固定具本体
３  被覆部材収容部
４  心線収容部
５  光ケーブルコネクタ収容部
６、７  凹凸部
８  アタッチメント部
９  溝部
１０  光ケーブル
１１  心線
１２  被覆部材
１３  光ケーブル
１４  心線
１５  被覆部材
１６  光ケーブルコネクタ
【図１】
2004239957.tif 000003
【図２】
2004239957.tif 000004
【図３】
2004239957.tif 000005
【図４】
2004239957.tif 000006
【図５】
2004239957.tif 000007